(57)【要約】【課題】出品者情報及び商品情報の管理を適切に行うことができる技術を提供できることが望ましい。【解決手段】商品を出品する出品者の出品者情報と、商品に対する公的な認証に関する認証情報を含む商品情報とを含む出品要求情報を取得する出品要求情報取得部と、出品者の決済に関する決済情報を取得する決済情報取得部と、出品要求情報の審査結果及び決済情報の審査結果を出品者に対して送信する審査結果送信部とを備える情報処理装置を提供する。【選択図】図３
2019061581.tif 000002
【特許請求の範囲】
【請求項１】
商品を出品する出品者の出品者情報と、前記商品に対する公的な認証に関する認証情報を含む商品情報とを含む出品要求情報を取得する出品要求情報取得部と、
前記出品者の決済に関する決済情報を取得する決済情報取得部と、
前記出品要求情報の審査結果及び前記決済情報の審査結果を前記出品者に対して送信する審査結果送信部と
を備える情報処理装置。
【請求項２】
前記認証情報は、前記商品の無線設備の技術基準適合の認証の取得状況を示し、
前記審査結果送信部は、前記認証情報が前記認証を取得済みであること及び取得予定であることのいずれも示さない場合、前記出品要求情報の審査結果として要求棄却を示す情報を送信する、請求項１に記載の情報処理装置。
【請求項３】
前記認証情報は、前記商品の電気製品としての安全性の認証の申請状況を示し、
前記審査結果送信部は、前記認証情報が前記認証を申請済みであること及び申請予定であることのいずれも示さない場合、前記出品要求情報の審査結果として要求棄却を示す情報を送信する、請求項１に記載の情報処理装置。
【請求項４】
前記審査結果送信部は、前記商品情報が示す前記商品が無線通信によってインターネットを介した通信を実行するＩｏＴ商品でない場合、前記出品要求情報の審査結果として、要求棄却を示す情報を送信する、請求項１に記載の情報処理装置。
【請求項５】
前記決済情報は、前記出品者の資本金、年商、及びクレジットカード番号の少なくともいずれかを含む、請求項１から４のいずれか一項に記載の情報処理装置。
【請求項６】
前記商品を説明する説明情報を含む商品ページを生成するページ生成部と、
前記商品ページをインターネット上に公開するページ公開部と
をさらに備える、請求項１に記載の情報処理装置。
【請求項７】
前記認証情報は、前記商品の無線設備の技術基準適合の認証の取得状況を示し、
前記ページ公開部は、前記認証情報が前記認証を取得予定であることを示す場合、前記商品ページを公開せず、前記認証情報が前記認証を取得済みであることを示す場合、前記商品ページを公開する、請求項６に記載の情報処理装置。
【請求項８】
前記商品の購入を希望する購入希望者の希望者情報を取得する希望者情報取得部と、
前記希望者情報を前記出品者に対して送信する希望者情報送信部と
を備え、
前記認証情報は、前記商品の無線設備の技術基準適合の認証の取得状況を示し、
前記希望者情報送信部は、前記認証情報が前記認証を取得予定であることを示す場合、前記希望者情報を前記出品者に対して送信せず、前記認証情報が前記認証を取得済みであることを示す場合、前記希望者情報を前記出品者に対して送信する、請求項６に記載の情報処理装置。
【請求項９】
前記ページ生成部は、複数の項目を含む日本語による第１商品ページと、複数の項目を含む英語による第２商品ページとを生成し、
前記情報処理装置は、前記第１商品ページに含まれる前記複数の項目の少なくともいずれかと、前記第２商品ページに含まれる前記複数の項目の少なくともいずれかとを紐付ける紐付け情報を格納する紐付け情報格納部を備える、請求項６から８のいずれか一項に記載の情報処理装置。
【請求項１０】
コンピュータを、請求項１から９のいずれか一項に記載の情報処理装置として機能させるためのプログラム。
【発明の詳細な説明】
【技術分野】
【０００１】
本発明は、情報処理装置及びプログラムに関する。
【背景技術】
【０００２】
複数の出品者により出品される商品の情報を取り扱うショッピングサイトが知られていた（例えば、特許文献１参照）。
［先行技術文献］
［特許文献］
［特許文献１］特開２０１６−２１２５９４号公報
【発明の概要】
【発明が解決しようとする課題】
【０００３】
出品者情報及び商品情報の管理を適切に行うことができる技術を提供できることが望ましい。
【課題を解決するための手段】
【０００４】
本発明の第１の態様によれば、情報処理装置が提供される。情報処理装置は、商品を出品する出品者の出品者情報と、商品に対する公的な認証に関する認証情報を含む商品情報とを含む出品要求情報を取得する出品要求情報取得部を備えてよい。情報処理装置は、出品者の決済に関する決済情報を取得する決済情報取得部を備えてよい。情報処理装置は、出品要求情報の審査結果及び決済情報の審査結果を出品者に対して送信する審査結果送信部を備えてよい。
【０００５】
上記認証情報は、上記商品の無線設備の技術基準適合の認証の取得状況を示してよく、上記審査結果送信部は、上記認証情報が上記認証を取得済みであること及び取得予定であることのいずれも示さない場合、上記出品要求情報の審査結果として要求棄却を示す情報を送信してよい。上記認証情報は、上記商品の電気製品としての安全性の認証の申請状況を示してよく、上記審査結果送信部は、上記認証情報が上記認証を申請済みであること及び申請予定であることのいずれも示さない場合、上記出品要求情報の審査結果として要求棄却を示す情報を送信してよい。上記審査結果送信部は、上記商品情報が示す上記商品が無線通信によってインターネットを介した通信を実行するＩｏＴ商品でない場合、上記出品要求情報の審査結果として、要求棄却を示す情報を送信してよい。上記決済情報は、上記出品者の資本金、年商、及びクレジットカード番号の少なくともいずれかを含んでよい。
【０００６】
上記情報処理装置は、上記商品を説明する説明情報を含む商品ページを生成するページ生成部と、上記商品ページをインターネット上に公開するページ公開部とをさらに備えてよい。上記認証情報は、上記商品の無線設備の技術基準適合の認証の取得状況を示してよく、上記ページ公開部は、上記認証情報が上記認証を取得予定であることを示す場合、上記商品ページを公開せず、上記認証情報が上記認証を取得済みであることを示す場合、上記商品ページを公開してよい。
【０００７】
上記情報処理装置は、上記商品の購入を希望する購入希望者の希望者情報を取得する希望者情報取得部と、上記希望者情報を上記出品者に対して送信する希望者情報送信部とを備えてよく、上記認証情報は、上記商品の無線設備の技術基準適合の認証の取得状況を示してよく、上記希望者情報送信部は、上記認証情報が上記認証を取得予定であることを示す場合、上記希望者情報を上記出品者に対して送信せず、上記認証情報が上記認証を取得済みであることを示す場合、上記希望者情報を上記出品者に対して送信してよい。
【０００８】
上記ページ生成部は、複数の項目を含む日本語による第１商品ページと、複数の項目を含む英語による第２商品ページとを生成してよく、上記情報処理装置は、上記第１商品ページに含まれる上記複数の項目の少なくともいずれかと、上記第２商品ページに含まれる上記複数の項目の少なくともいずれかとを紐付ける紐付け情報を格納する紐付け情報格納部を備えてよい。
【０００９】
本発明の第２の態様によれば、コンピュータを、上記情報処理装置として機能させるためのプログラムが提供される。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】商品管理システム１０の通信環境の一例を概略的に示す。
【図２】情報管理サーバ１００による処理の流れの一例を概略的に示す。
【図３】情報管理サーバ１００の機能構成の一例を概略的に示す。
【図４】情報管理サーバ１００による処理の流れの一例を概略的に示す。
【図５】情報管理サーバ１００による処理の流れの一例を概略的に示す。
【図６】情報管理サーバ１００として機能するコンピュータのハードウエア構成の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、商品管理システム１０の一例を概略的に示す。本実施形態に係る商品管理システム１０は、例えば、出品者３０１からの出店希望に応じて、ネットワーク２０上の仮想的な出店をサポートする。ネットワーク２０は、例えば、インターネット及び電話網を含む。
【００１４】
出品者３０１は、商品を出品する任意の主体であってよい。例えば、出品者３０１は、法人企業である。商品管理システム１０は、出品者３０１を限定してもよい。例えば、商品管理システム１０は、出品者３０１を法人企業に限定してもよい。
【００１５】
商品管理システム１０が対象とする商品は、任意の商品であってよい。例えば、商品は、無線通信機能を備える機器である。商品は、無線通信によってインターネットを介した通信を実行するＩｏＴ（Ｉｎｔｅｒｎｅｔ  ｏｆ  Ｔｈｉｎｇ）商品であってもよい。商品管理システム１０は、商品を限定してもよい。例えば、商品管理システム１０は、商品をＩｏＴ商品に限定してもよい。
【００１６】
商品管理システム１０は、例えば、既に完成している商品を販売する場を提供する。また、商品管理システム１０は、例えば、まだ完成していない商品について商品情報を紹介し、当該商品の購入を希望する希望者を募る場を提供することによって、当該商品の商品化及び販売をサポートする。前者をショッピング、後者をクラウドファンディングと記載する場合がある。
【００１７】
また、商品管理システム１０は、まだ完成していない商品について商品情報を紹介し、その商品のアイデアに対する意見を募集する場を提供してもよい。これをプランニングと記載する場合がある。
【００１８】
ショッピングを実現する場合、商品管理システム１０は、例えば、既に完成している商品について出品者３０１からの出品要求を受け付け、当該出品者３０１及び当該商品に対する審査結果が承認である場合、当該出品者３０１に当該商品を販売するネットワーク２０上の場を提供する。商品管理システム１０は、例えば、当該商品を説明する説明情報を含む商品ページを公開する。商品管理システム１０は、当該商品の購入を希望する希望者４０１からの購入希望を、当該希望者４０１が使用する希望者端末４００から受信して、当該商品の売買手続きを行ってよい。
【００１９】
クラウドファンディングを実現する場合、商品管理システム１０は、例えば、まだ完成していない商品について出品者３０１からの出品要求を受け付け、当該出品者３０１及び当該商品に対する審査結果が承認である場合に、当該出品者３０１に当該商品を紹介するネットワーク２０の場を提供する。商品管理システム１０は、例えば、当該商品を説明する説明情報を含む商品ページを公開する。当該商品の購入を希望する希望者４０１の数が、予め設定された条件を満たした場合、希望者４０１から収集した財源をもとに商品化が進められ、商品完成後に、希望者４０１に商品が届けられてよい。
【００２０】
商品管理システム１０は、情報管理サーバ１００及び決済管理サーバ２００を備える。情報管理サーバ１００は、情報処理装置の一例であってよい。
【００２１】
情報管理サーバ１００は、出品者３０１の出品者端末３００から、出品者３０１の情報（出品者情報と記載する場合がある。）と、出品対象の商品の情報（商品情報と記載する場合がある。）とを含む出品要求情報を受信する。また、情報管理サーバ１００は、出品者端末３００から、出品者の決済に関する決済情報を受信する。
【００２２】
情報管理サーバ１００は、出品者端末３００から受信した決済情報を決済管理サーバ２００に送信して、決済情報の審査結果を決済管理サーバ２００から受信する。情報管理サーバ１００は、出品者情報及び商品情報の審査結果と、決済管理サーバ２００から受信した決済情報の審査結果との両方が承認を示す場合、出品者３０１に対して、ショッピングサービスやクラウドファンディングサービスを提供する。
【００２３】
図２は、情報管理サーバ１００の処理の流れの一例を概略的に示す。ここでは、出品者端末３００が出品要求情報を情報管理サーバ１００に送信してから、商品ページがネットワーク２０上で公開されるまでの流れを説明する。
【００２４】
ステップ（ステップをＳと省略して記載する場合がある。）２０２では、出品者端末３００が、出品者３０１によって入力された入力情報を情報管理サーバ１００に送信する。入力情報は、出品要求情報であってよい。
【００２５】
入力情報は、出品者３０１の出品者情報と、対象商品の商品情報とを含む。入力情報としては、出品者３０１の所在地、ＵＲＬ、担当者名、メールアドレス、電話番号、従業員数、担当者所属部門、事業カテゴリ、購入者への商品配送機能の有無、カスタマーサポートの有無、海外販売実績有無、国内販売実績有無、取扱禁止分野の該当有無、ＩｏＴまたはＩｏＴ要素の有無、ショッピングとクラウドファンディングとのいずれを希望するか、商品の概要説明、商品の紹介用電子ファイル、商品の紹介用動画ＵＲＬ、販売予定商品単価、配送スケジュール、商品に搭載される通信技術、商品に関するアプリ、商品の海外販売実績有無、商品の国内販売実績有無、クラウドファンディング実績、商品の公的な認証に関する認証情報などが例示できる。
【００２６】
ＩｏＴ又はＩｏＴ要素があるとは、無線通信によってインターネットと通信する機能を有することであってよい。商品は、直接インターネットに接続して、スマートフォン及びタブレット等を介してインターネットに接続してもよい。
【００２７】
商品の公的な認証に関する認証情報は、商品の無線設備の技術基準適合の認証の取得状況を示してよい。また、商品の公的な認証に関する認証情報は、商品の電気製品としての安全性の認証の申請状況を示してよい。商品の無線設備の技術基準適合の認証とは、例えば、ＴＥＬＥＣ（端末機器の技術適合認定・設計認証等）の認証である。商品の電気製品としての安全性の認証とは、例えば、ＰＳＥ（電気用品安全法）の認証である。
【００２８】
情報管理サーバ１００は、入力情報を受信した場合に、出品者端末３００に対して受付完了を示す情報を送信してもよい。情報の送信形式は任意のものであってよく、例えば電子メールが用いられる。
【００２９】
Ｓ２０４では、情報管理サーバ１００が、入力情報の審査結果を出品者端末３００に送信する。審査結果は、要求の承認又は棄却を含む。審査は、入力情報を閲覧した審査担当者１０１等によって行われてもよく、予め定められた基準に従って情報管理サーバ１００によって自動的に実行されてもよい。例えば、情報管理サーバ１００は、入力情報と、承認又は棄却を受け付けるボタン等のオブジェクトとを含む管理画面を情報管理サーバ１００のディスプレイ等に表示し、審査担当者１０１からの入力を受け付ける。
【００３０】
棄却を含む審査結果が出品者端末３００に送信された場合、例えば、出品者３０１は、入力情報を再検証して、改めて入力情報を送信したり、出品をあきらめたりすることになる。ここでは、承認を含む審査結果が送られたものとして説明を続ける。
【００３１】
Ｓ２０６では、出品者端末３００が、出品者３０１の決済に関する決済情報を含む登録情報を情報管理サーバ１００に送信する。決済情報は、決済管理サーバ２００による審査を受けるために必要な情報である。登録情報としては、申込年月日、利用開始希望日、出品者の名称、所在地、郵便番号、電話番号、ＦＡＸ番号、設立年月日、資本金、年商、事業内容、ホームページのＵＲＬ、代表者情報、サービス名称、屋号、商品概要、商品ジャンル、商品価格帯、平均購入額、振込先口座情報、売上報告担当者情報、掲載電話番号、掲載電子メールアドレス、販売業者情報、販売数量、申込有効期限、商品以外の必要料金（消費税及び送料等）、支払方法、支払期限、商品引渡時期、不良品の取扱い方法、返品方法、返品期限、返品送料、商品画像、商品名、販売価格、及び商品概要などが例示できる。
【００３２】
情報管理サーバ１００は、登録情報を受信した場合に、出品者端末３００に対して受付完了を示す情報を送信してもよい。情報の送信形式は任意のものであってよく、例えば電子メールが用いられる。
【００３３】
Ｓ２０８では、情報管理サーバ１００が、決済管理サーバ２００に対して審査情報を送信する。審査情報は、登録情報のすべてを含んでもよく、登録情報の一部のみを含んでもよい。
【００３４】
Ｓ２１０では、決済管理サーバ２００が、審査情報の審査結果を情報管理サーバ１００に送信する。審査結果は、承認又は棄却を含む。審査は、審査情報を閲覧した決済管理サーバ２００の審査担当者２０１等によって行われてもよく、予め定められた基準に従って決済管理サーバ２００によって自動的に実行されてもよい。例えば、決済管理サーバ２００は、審査情報と、承認又は棄却を受け付けるボタン等のオブジェクトとを含む管理画面を決済管理サーバ２００のディスプレイ等に表示し、審査担当者２０１からの入力を受け付ける。
【００３５】
Ｓ２１２では、情報管理サーバ１００が、審査結果を出品者端末３００に送信する。承認を含む審査結果は、情報管理サーバ１００が提供するサービスの利用方法の情報をさらに含んでよい。利用方法の情報は、情報管理サーバ１００が提供するサービスのログイン方法、ログインに必要なＩＤ及びパスワードを郵送する旨のお知らせ、及び、当該サービスにおける認証方法等を含んでよい。情報管理サーバ１００が、決済管理サーバ２００から承認を含む審査結果を受信したことに応じて、当該出品者３０１用の管理画面、ＩＤ、及びパスワードが準備されてよく、ＩＤ及びパスワードは出品者３０１に対して郵送されてよい。
【００３６】
Ｓ２１４では、出品者端末３００及び情報管理サーバ１００が、対象商品を説明する説明情報を含む商品ページを生成する。例えば、出品者３０１が出品者端末３００を用いて、郵送されたＩＤ及びパスワードで情報管理サーバ１００によって提供されるサービスにログインして、商品ページを生成する。Ｓ２１４において生成される商品ページは、日本語によって生成されてよい。
【００３７】
Ｓ２１６では、情報管理サーバ１００が、商品ページの審査結果を出品者端末３００に送信する。審査結果は、要求の承認又は棄却を含む。審査は、商品ページを閲覧した審査担当者１０１等によって行われてもよく、予め定められた基準に従って情報管理サーバ１００によって自動的に実行されてもよい。例えば、情報管理サーバ１００は、商品ページと、承認又は棄却を受け付けるボタン等のオブジェクトとを含む管理画面を情報管理サーバ１００のディスプレイ等に表示し、審査担当者１０１からの入力を受け付ける。
【００３８】
棄却を含む審査結果が送られた場合、例えば、出品者３０１は、商品ページを再検証して、改めて商品ページを送信したり、出品をあきらめたりすることになる。ここでは、承認を含む審査結果が送られたものとして説明を続ける。
【００３９】
Ｓ２１８では、情報管理サーバ１００が、Ｓ２１４において生成された商品ページをネットワーク２０上に公開して、公開完了報告を出品者端末３００に送信する。情報の送信形式は任意のものであってよく、例えば電子メールが用いられる。
【００４０】
Ｓ２２０では、出品者端末３００及び情報管理サーバ１００が、対象商品を説明する説明情報を含む商品ページを生成する。Ｓ２２０において生成される商品ページは、日本語以外の言語によって生成されてよい。ここでは、英語で生成されたものとして説明を続ける。例えば、出品者３０１が、出品者端末３００を用いて、商品ページを生成する。
【００４１】
Ｓ２１４において生成された日本語の商品ページと、Ｓ２２０において生成された英語の商品ページとは、それぞれ複数の項目を含んでよい。例えば、商品ページは、商品の概要、説明、画像、仕様、及び商品の購入者によるレビューを表示する欄等を含む。また、クラウドファンディングの場合、商品ページは、目標金額、在庫数、及び商品に対するコメントを表示する欄等を含んでよい。
【００４２】
情報管理サーバ１００は日本語の商品ページに含まれる複数の項目の少なくともいずれかと、英語の商品ページに含まれる複数の項目の少なくともいずれかとを紐付ける紐付情報を格納してよい。紐付情報は、例えば、日本語の商品ページの目標金額と英語の商品ページの目標金額とを紐付ける。また、例えば、紐付情報は、日本語の商品ページの在庫数と英語の商品ページの在庫数とを紐付ける。これにより、例えば、日本語の商品ページにおいて、目標金額又は在庫が変化した場合、その変化を英語の商品ページにも反映することができる。また、例えば、紐付情報は、日本語の商品ページに対して入力された日本語のレビューと、英語の商品ページに対して入力された英語のレビューとを紐付ける。例えば、日本語の商品ページに、日本語のレビューを表示するとともに、紐付けられた英語のレビューを表示することによって、例えば、各言語の商品ページにおいて入力されたレビューを容易に閲覧可能にすることができる。
【００４３】
Ｓ２２２では、情報管理サーバ１００が、商品ページの審査結果を出品者端末３００に送信する。審査結果は、要求の承認又は棄却を含んでよい。審査は、商品ページを閲覧した審査担当者１０１等によって行われてもよく、予め定められた基準に従って情報管理サーバ１００によって自動的に実行されてもよい。例えば、情報管理サーバ１００は、商品ページと、承認又は棄却を受け付けるボタン等のオブジェクトとを含む管理画面を情報管理サーバ１００のディスプレイ等に表示し、審査担当者１０１からの入力を受け付ける。
【００４４】
棄却を含む審査結果が送られた場合、例えば、出品者３０１は、説明情報を再検証して、改めて説明情報を送信したり、出品をあきらめたりすることになる。ここでは、承認を含む審査結果が送られたものとして説明を続ける。
【００４５】
Ｓ２２４では、情報管理サーバ１００が、Ｓ２２０において生成された商品ページをネットワーク２０上に公開して、公開完了報告を出品者端末３００に送信する。情報の送信形式は任意のものであってよく、例えば電子メールが用いられる。
【００４６】
図３は、情報管理サーバ１００の機能構成の一例を概略的に示す。情報管理サーバ１００は、情報格納部１０２、出品要求情報取得部１０４、登録情報取得部１０６、審査管理部１０８、審査結果送信部１１０、商品ページ生成部１１２、商品ページ公開部１１４、希望者情報取得部１１６、及び希望者情報送信部１１８を備える。なお、情報管理サーバ１００がこれらのすべての構成を備えることは必須とは限らない。
【００４７】
情報格納部１０２は、各種情報を格納する。情報格納部１０２は、出品者端末３００から受信した各種情報を格納してよい。また、情報格納部１０２は、決済管理サーバ２００から受信した各種情報を格納してよい。
【００４８】
出品要求情報取得部１０４は、出品要求情報を取得する。出品要求情報取得部１０４は、例えば、出品者端末３００から出品要求情報を受信する。出品要求情報は、出品者情報及び商品情報を含む。商品情報は、商品に対する公的な認証に関する認証情報を含む。認証情報は、商品の無線設備の技術基準適合の認証の取得情報を示してよい。認証情報は、商品の電気製品としての安全性の認証の申請状況を示してよい。
【００４９】
登録情報取得部１０６は、登録情報を取得する。登録情報取得部１０６は、例えば、出品者端末３００から登録情報を受信する。登録情報は、決済情報を含む。決済情報は、出品者の資本金、年商、及びクレジットカード番号の少なくともいずれかを含んでよい。登録情報取得部１０６は、決済情報取得部の一例であってよい。
【００５０】
審査管理部１０８は、出品要求情報の審査を管理する。例えば、審査管理部１０８は、出品要求情報と、承認又は棄却を受け付けるボタン等のオブジェクトとを含む管理画面を情報管理サーバ１００のディスプレイ等に表示し、審査担当者１０１からの入力を受け付けることによって、審査結果を取得する。また、審査管理部１０８は、予め定められた基準に従って出品管理情報を審査することによって、審査結果を取得してもよい。
【００５１】
例えば、商品情報に含まれる認証情報が、商品の無線設備の技術基準適合の認証を取得済みであること及び取得予定であることのいずれも示さない場合、出品管理情報の審査結果は棄却を示してよい。商品情報に含まれる認証情報が、商品の無線設備の技術基準適合の認証を取得済みであること又は取得予定であることを示す場合、出品管理情報に含まれる他の情報が承認であることを条件に、出品管理情報の審査結果は承認を示してよい。
【００５２】
また、例えば、商品情報に含まれる認証情報が、商品の電気製品としての安全性の認証を申請済みであること及び申請予定であることのいずれも示さない場合、棄却と判定されてよい。商品情報に含まれる認証情報が、商品の電気製品としての安全性の認証を申請済みであること又は申請予定であることを示す場合、出品管理情報に含まれる他の情報が承認であることを条件に、出品管理情報の審査結果は承認を示してよい。
【００５３】
また、例えば、商品情報が示す商品がＩｏＴ商品でない場合、棄却と判定されてよい。
【００５４】
また、審査管理部１０８は、審査情報の審査を管理する。例えば、審査管理部１０８は、登録情報取得部１０６が取得した登録情報を含む審査情報を決済管理サーバ２００に送信し、審査結果を決済管理サーバ２００から受信する。
【００５５】
審査結果送信部１１０は、審査管理部１０８が管理する出品要求情報の審査結果を出品者端末３００に送信する。また、審査結果送信部１１０は、審査管理部１０８が管理する審査情報の審査結果を出品者端末３００に送信する。
【００５６】
商品ページ生成部１１２は、商品ページを生成する。商品ページ生成部１１２は、例えば、出品者端末３００に対して、商品ページを生成するための生成用画面を提供する。出品者端末３００は、生成用画面を自らが備えるディスプレイに表示して、出品者３０１からの入力を受け付けることによって、商品ページの生成を進める。
【００５７】
商品ページ生成部１１２は、複数の項目を含む商品ページを生成してよい。項目としては、商品の概要、説明、画像、仕様、商品の購入者によるレビューを表示する欄、目標金額、在庫数、及び商品に対するコメントを表示する欄等が例示できる。
【００５８】
商品ページ生成部１１２は、生成した商品ページに含まれる複数の項目を変更してもよい。例えば、商品ページ生成部１１２は、出品者３０１の指示に従って、商品ページに含まれる複数の項目の少なくともいずれかを変更する。
【００５９】
また、商品ページ生成部１１２は、商品の状況に応じて商品ページを変更してもよい。例えば、商品ページ生成部１１２は、商品の在庫数が変化した場合に、商品ページ中の在庫数を変更する。
【００６０】
商品ページ生成部１１２は、商品の購入者等からのレビューの書き込みを受け付けた場合、当該書き込みを商品ページに追加してよい。また、商品ページ生成部１１２は、希望者４０１等からの商品に対するコメントの書き込みを受け付けた場合、当該コメントを商品ページに追加してよい。
【００６１】
商品ページ生成部１１２は、日本語による商品ページと、日本語以外の言語による商品ページとを生成してよい。商品ページ生成部１１２は、日本語による商品ページに含まれる複数の項目の少なくともいずれかと、日本語以外の言語による商品ページに含まれる複数の項目の少なくともいずれかとを紐付ける紐付情報を生成してよい。商品ページ生成部１１２は、例えば、出品者３０１の指示に従って、紐付情報を生成する。情報格納部１０２は、商品ページ生成部１１２によって生成された紐付情報を格納する。情報格納部１０２は、紐付け情報格納部の一例であってよい。
【００６２】
商品ページ生成部１１２は、日本語による商品ページに含まれる項目が変更された場合であって、当該項目が日本語以外による商品ページに含まれる項目と紐付けられている場合、変更内容を、紐付けられた商品ページに反映してよい。例えば、日本語による商品ページにおいて商品の在庫数が変更された場合、商品ページ生成部１１２は、日本語以外による商品ページの在庫数を変更する。
【００６３】
審査管理部１０８は、商品ページ生成部１１２によって生成された商品ページの審査を管理する。例えば、審査管理部１０８は、商品ページと、承認又は棄却を受け付けるボタン等のオブジェクトとを含む管理画面を情報管理サーバ１００のディスプレイ等に表示し、審査担当者１０１からの入力を受け付けることによって、審査結果を取得する。また、審査管理部１０８は、予め定められた基準に従って商品ページを審査することによって、審査結果を取得してもよい。審査結果送信部１１０は、審査管理部１０８が管理する商品ページの審査結果を出品者端末３００に送信する。
【００６４】
商品ページ公開部１１４は、商品ページ生成部１１２によって生成された商品ページについて、審査結果が承認を含む場合、当該商品ページをネットワーク２０上に公開する。ここで、ショッピングの場合、商品ページ公開部１１４は、商品情報に含まれる認証情報が認証を取得予定であることを示す場合、商品ページを公開せず、認証情報が認証を取得済みであることを示す場合、商品ページを公開してよい。クラウドファンディングの場合、商品ページ公開部１１４は、商品情報に含まれる認証情報が認証を取得予定であることを示す場合も、認証を取得済みであることを示す場合も、商品ページを公開してよい。
【００６５】
希望者情報取得部１１６は、商品の購入を希望する希望者４０１の希望者情報を取得する。希望者情報は、希望者４０１に対して商品を発送する場合に必要となる情報であってよい。例えば、希望者情報は、希望者４０１の住所、氏名及び電話番号等を含む。希望者情報取得部１１６は、例えば、希望者端末４００から希望者情報を受信する。希望者情報取得部１１６が取得した希望者情報は、情報格納部１０２に格納される。
【００６６】
希望者情報送信部１１８は、情報格納部１０２に格納されている希望者情報を出品者端末３００に送信する。ここで、ショッピングの場合、希望者４０１によって商品が購入されたときに、希望者情報送信部１１８は、希望者情報を出品者端末３００に送信してよい。
【００６７】
クラウドファンディングの場合、例えば、希望者４０１の数が予め設定された条件を満たして商品が完成したときに、希望者情報送信部１１８は、商品情報に含まれる認証情報が認証を取得予定であることを示す場合、希望者情報を出品者端末３００に対して送信せず、認証情報が認証を取得済みであることを示す場合、希望者情報を出品者端末３００に送信してよい。これにより、対象商品がＴＥＬＥＣ等の認証をまだ取得していないにもかかわらず、希望者４０１のもとに対象商品が発送されてしまうことを防止できる。そして、これにより、不正な電波を発する可能性がある商品が各地に発送されてしまうことを防止でき、不正な電波の発生を未然に防ぐことができる。
【００６８】
図４は、情報管理サーバ１００による処理の流れの一例を概略的に示す。図４は、ショッピングの場合に、商品ページ生成部１１２によって商品ページが生成された状態を開始状態として説明する。図に示す各処理は、情報管理サーバ１００が備える制御部が主体となって実行される。
【００６９】
Ｓ４０２では、商品ページ公開部１１４が、商品ページを取得する。Ｓ４０４では、商品ページ公開部１１４が、対象商品の公的な認証の取得状況を確認する。取得済みである場合、Ｓ４０６に進み、取得予定である場合、処理を終了する。この場合、商品ページ生成部１１２によって生成された商品ページは公開されない。
【００７０】
Ｓ４０６では、商品ページ公開部１１４が、商品ページを公開する。商品が購入された場合（Ｓ４０８でＹＥＳ）、Ｓ４１０に進み、そうでない場合（Ｓ４０８でＮＯ）、Ｓ４１２に進む。
【００７１】
Ｓ４１０では、希望者情報送信部１１８が希望者情報を出品者端末３００に送信する。Ｓ４１２では、終了指示を受領したか否かを判定する。終了指示を受領していないと判定した場合、Ｓ４０８に戻り、終了指示を受領したと判定した場合、処理を終了する。
【００７２】
図５は、情報管理サーバ１００による処理の流れの一例を概略的に示す。図５は、クラウドファンディングの場合に、商品ページ生成部１１２によって商品ページが生成された状態を開始状態として説明する。図に示す各処理は、情報管理サーバ１００が備える制御部が主体となって実行される。
【００７３】
Ｓ５０２では、商品ページ公開部１１４が、商品ページを取得する。Ｓ５０４では、商品ページ公開部１１４が、商品ページを公開する。Ｓ５０６では、公開した商品ページの商品について商品化が完了し、出品者３０１と希望者４０１との間で売買契約が成立する。
【００７４】
Ｓ５０８では、希望者情報送信部１１８が、対象商品の公的な認証の取得状況を確認する。取得済みである場合、Ｓ５１０に進み、取得予定である場合、Ｓ５１２に進む。
【００７５】
Ｓ５１０では、希望者情報送信部１１８が、希望者情報を出品者端末３００に送信する。Ｓ５１２では、終了指示を受領したか否かを判定する。終了指示を受領していないと判定した場合、Ｓ５０８に戻り、終了指示を受領したと判定した場合、処理を終了する。
【００７６】
図６は、情報管理サーバ１００として機能するコンピュータ１０００の一例を概略的に示す。本実施形態に係るコンピュータ１０００は、ホストコントローラ１０９２により相互に接続されるＣＰＵ１０１０、ＲＡＭ１０３０、及びグラフィックコントローラ１０８５を有するＣＰＵ周辺部と、入出力コントローラ１０９４によりホストコントローラ１０９２に接続されるＲＯＭ１０２０、通信Ｉ／Ｆ１０４０、ハードディスクドライブ１０５０、ＤＶＤドライブ１０７０及び入出力チップ１０８０を有する入出力部を備える。
【００７７】
ＣＰＵ１０１０は、ＲＯＭ１０２０及びＲＡＭ１０３０に格納されたプログラムに基づいて動作し、各部の制御を行う。グラフィックコントローラ１０８５は、ＣＰＵ１０１０などがＲＡＭ１０３０内に設けたフレーム・バッファ上に生成する画像データを取得し、ディスプレイ１０９０上に表示させる。これに代えて、グラフィックコントローラ１０８５は、ＣＰＵ１０１０などが生成する画像データを格納するフレーム・バッファを、内部に含んでもよい。
【００７８】
通信Ｉ／Ｆ１０４０は、有線又は無線によりネットワークを介して他の装置と通信する。また、通信Ｉ／Ｆ１０４０は、通信を行うハードウエアとして機能する。ハードディスクドライブ１０５０は、ＣＰＵ１０１０が使用するプログラム及びデータを格納する。ＤＶＤドライブ１０７０は、ＤＶＤ−ＲＯＭ１０７２からプログラム又はデータを読み取り、ＲＡＭ１０３０を介してハードディスクドライブ１０５０に提供する。
【００７９】
ＲＯＭ１０２０は、コンピュータ１０００が起動時に実行するブート・プログラム及びコンピュータ１０００のハードウエアに依存するプログラムなどを格納する。入出力チップ１０８０は、例えばパラレル・ポート、シリアル・ポート、キーボード・ポート、マウス・ポートなどを介して各種の入出力装置を入出力コントローラ１０９４へと接続する。
【００８０】
ＲＡＭ１０３０を介してハードディスクドライブ１０５０に提供されるプログラムは、ＤＶＤ−ＲＯＭ１０７２、又はＩＣカードなどの記録媒体に格納されて利用者によって提供される。プログラムは、記録媒体から読み出され、ＲＡＭ１０３０を介してハードディスクドライブ１０５０にインストールされ、ＣＰＵ１０１０において実行される。
【００８１】
コンピュータ１０００にインストールされ、コンピュータ１０００を情報管理サーバ１００として機能させるプログラムは、ＣＰＵ１０１０などに働きかけて、コンピュータ１０００を、情報管理サーバ１００の各部としてそれぞれ機能させてよい。これらのプログラムに記述された情報処理は、コンピュータ１０００に読込まれることにより、ソフトウエアと上述した各種のハードウエア資源とが協働した具体的手段である情報格納部１０２、出品要求情報取得部１０４、登録情報取得部１０６、審査管理部１０８、審査結果送信部１１０、商品ページ生成部１１２、商品ページ公開部１１４、希望者情報取得部１１６、及び希望者情報送信部１１８として機能する。そして、これらの具体的手段によって、本実施形態におけるコンピュータ１０００の使用目的に応じた情報の演算又は加工を実現することにより、使用目的に応じた特有の情報管理サーバ１００が構築される。
【００８２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８３】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００８４】
１０  商品管理システム、２０  ネットワーク、１００  情報管理サーバ、１０１  審査担当者、１０２  情報格納部、１０４  出品要求情報取得部、１０６  登録情報取得部、１０８  審査管理部、１１０  審査結果送信部、１１２  商品ページ生成部、１１４  商品ページ公開部、１１６  希望者情報取得部、１１８  希望者情報送信部、２００  決済管理サーバ、２０１  審査担当者、３００  出品者端末、３０１  出品者、４００  希望者端末、４０１  希望者、１０００  コンピュータ、１０１０  ＣＰＵ、１０２０  ＲＯＭ、１０３０  ＲＡＭ、１０４０  通信Ｉ／Ｆ、１０５０  ハードディスクドライブ、１０７０  ＤＶＤドライブ、１０７２  ＤＶＤ−ＲＯＭ、１０８０  入出力チップ、１０８５  グラフィックコントローラ、１０９０  ディスプレイ、１０９２  ホストコントローラ、１０９４  入出力コントローラ
【図１】
2019061581.tif 000003
【図２】
2019061581.tif 000004
【図３】
2019061581.tif 000005
【図４】
2019061581.tif 000006
【図５】
2019061581.tif 000007
【図６】
2019061581.tif 000008
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
商品を出品する出品者の出品者情報と、前記商品に対する公的な認証に関する認証情報を含む商品情報とを含む出品要求情報を取得する出品要求情報取得部と、
前記出品者の決済に関する決済情報を取得する決済情報取得部と、
前記出品要求情報の審査結果及び前記決済情報の審査結果を前記出品者に対して送信する審査結果送信部と、
前記商品を説明する説明情報を含む商品ページを生成するページ生成部と、
前記認証情報が前記認証を取得済みであることを示す場合、前記商品ページをインターネット上に公開するページ公開部と
を備える情報処理装置。
【請求項２】
前記ページ公開部は、前記認証情報が前記認証を取得予定であることを示す場合、前記商品ページを公開せず、前記認証情報が前記認証を取得済みであることを示す場合、前記商品ページを公開する、請求項１に記載の情報処理装置。
【請求項３】
前記認証情報は、前記商品の技術基準適合の認証の取得状況を示す、請求項１又は２に記載の情報処理装置。
【請求項４】
前記認証情報は、前記商品の無線設備の技術基準適合の認証の取得状況を示す、請求項３に記載の情報処理装置。
【請求項５】
商品を出品する出品者の出品者情報と、前記商品に対する公的な認証に関する認証情報を含む商品情報とを含む出品要求情報を取得する出品要求情報取得部と、
前記出品者の決済に関する決済情報を取得する決済情報取得部と、
前記出品要求情報の審査結果及び前記決済情報の審査結果を前記出品者に対して送信する審査結果送信部と、
前記商品の購入を希望する購入希望者の希望者情報を取得する希望者情報取得部と、
前記認証情報が前記認証を取得済みであることを示す場合、前記希望者情報を前記出品者に対して送信する希望者情報送信部と
を備える情報処理装置。
【請求項６】
前記希望者情報送信部は、前記認証情報が前記認証を取得予定であることを示す場合、前記希望者情報を前記出品者に対して送信せず、前記認証情報が前記認証を取得済みであることを示す場合、前記希望者情報を前記出品者に対して送信する、請求項５に記載の情報処理装置。
【請求項７】
前記認証情報は、前記商品の技術基準適合の認証の取得状況を示す、請求項５又は６に記載の情報処理装置。
【請求項８】
前記認証情報は、前記商品の無線設備の技術基準適合の認証の取得状況を示す、請求項７に記載の情報処理装置。
【請求項９】
前記商品を説明する説明情報を含む商品ページを生成するページ生成部と、
前記商品ページをインターネット上に公開するページ公開部と
をさらに備える、請求項５から８のいずれか一項に記載の情報処理装置。
【請求項１０】
コンピュータを、請求項１から９のいずれか一項に記載の情報処理装置として機能させるためのプログラム。